(57)【要約】【課題】本発明では、バッテリセルの電圧を測定してＡ／Ｄコンバータ（Ａｎａｌｏｇ  Ｄｉｇｉｔａｌ  ｃｏｎｖｅｒｔｅｒ）に印加するとき、温度による偏差を補正することができるバッテリパックが開示される。【解決手段】一例として、本発明に係るバッテリパックは、バッテリセルの電圧値をフライングコンデンサを用いてＡ／Ｄコンバータで印加するものの、フライングコンデンサにバッテリセルの電圧値を格納する経路に位置するダイオードに対応するように、フライングコンデンサからＡ／Ｄコンバータで印加する経路に逆方向に形成されるダイオードを含むバッテリパックが開示される。【選択図】図２
2011164107.tif 000002
【特許請求の範囲】
【請求項１】
バッテリの第１端子に接続される第１入力と、
前記バッテリの第２端子に接続される第２入力と、
Ａ／Ｄコンバータに接続される出力と、
前記第１入力に接続される第１端子と前記第２入力に接続される第２端子を有するフライングコンデンサと、
前記第２入力に接続されるアノードと前記フライングコンデンサの第２端子に接続されるカソードとを含む第１ダイオードと、
供給電圧を格納するために第１コンデンサに接続されるアノードと前記フライングコンデンサの第２端子に接続されるカソードとを含む第２ダイオードと
を含むアナログスイッチ。
【請求項２】
前記第１ダイオード及び第２ダイオードは、同様の温度特性を有する請求項１に記載のアナログスイッチ。
【請求項３】
前記バッテリの電圧検出を制御するための第１制御信号を受信する第３入力と、
前記Ａ／Ｄコンバータに対する電圧伝達を制御するための第２制御信号を受信する第４入力と
をさらに含む請求項１に記載のアナログスイッチ。
【請求項４】
前記フライングコンデンサは、前記バッテリの第１端子及び第２端子の間の電圧の和に対応する電圧と前記第１制御信号に応じて前記第１ダイオードの順方向電圧を格納する請求項３に記載のアナログスイッチ。
【請求項５】
前記フライングコンデンサは、前記バッテリの第１端子及び第２端子の間の電圧の和に対応される電圧、前記第１ダイオードの順方向電圧及び前記供給電圧で前記第２制御信号に応じて前記Ａ／Ｄコンバータに前記第２ダイオードの逆電圧を引いた電圧を伝達する請求項４に記載のアナログスイッチ。
【請求項６】
前記第１ダイオード順電圧は、前記第２ダイオードの逆電圧と大きさが同じ請求項５に記載のアナログスイッチ。
【請求項７】
接地に接続される第１電極と、第２電極と、前記第３入力に接続される制御電極とを含む第１トランジスタと、
前記第１入力に接続される第１電極と、前記フライングコンデンサの第１端子に接続される第２電極と、前記第１トランジスタの第２電極に接続される制御電極とを含む第２トランジスタと、
前記第１ダイオードのカソードに接続される第１電極と、前記フライングコンデンサの第２端子に接続される第２電極と、前記第１トランジスタの第２電極に接続される制御電極とを含む第３トランジスタと
をさらに含む請求項３に記載のアナログスイッチ。
【請求項８】
前記第１トランジスタの制御電極と前記第３入力の間に接続される第１抵抗と、
前記第１トランジスタの制御電極と前記第１トランジスタの第１電極の間に接続される第２抵抗と
を含む第１電圧分配器を含む請求項７に記載のアナログスイッチ。
【請求項９】
接地に接続される第１電極と、第２電極と、前記第４入力に接続される制御電極とを含む第４トランジスタと、
前記フライングコンデンサの第１端子に接続される第１電極と、前記出力に接続される第２電極と、前記第４トランジスタの第２電極に接続される制御電極とを含む第５トランジスタと
をさらに含む請求項７に記載のアナログスイッチ。
【請求項１０】
前記第４トランジスタの制御電極と前記第４入力との間に接続される第３抵抗と、
前記第４トランジスタの制御電極と前記第４トランジスタの第１電極との間に接続される第４抵抗と
を含む第２電圧分配器をさらに含む請求項９に記載のアナログスイッチ。
【請求項１１】
前記第１入力に接続される第２コンデンサをさらに含む請求項７に記載のアナログスイッチ。
【請求項１２】
前記第１ダイオード及び第２ダイオードは、同じパッケージ内にある請求項１に記載のアナログスイッチ。
【請求項１３】
互いに接続される複数の第１バッテリセルと、
複数の入力端子を含み、複数の前記第１バッテリセルの電圧を検出して電圧バランスを維持する電圧検出及びバランシング回路と、
複数の前記バッテリセルに接続される第２バッテリセルと、
Ａ／Ｄコンバータを含み、前記バッテリセルの充電及び放電を制御する制御部と、
前記バッテリセルの電圧を検出及び格納して、前記制御部のＡ／Ｄコンバータに前記電圧を伝達するアナログスイッチと
を含み、
前記アナログスイッチは、
前記第２バッテリセルの第１端子に接続される第１端子と前記第２バッテリセルの第２端子に接続される第２端子とを有するフライングコンデンサと、
前記第２バッテリセルの第２端子に接続されるアノードと前記フライングコンデンサの第２端子に接続されるカソードとを含む第１ダイオードと、
供給電圧を格納するためのコンデンサに接続されるアノードと前記フライングコンデンサの第２端子に接続されるカソードとを含む第２ダイオードと
を含むバッテリパック。
【請求項１４】
前記第１ダイオード及び第２ダイオードは、同様の温度特性を有する請求項１３に記載のバッテリパック。
【請求項１５】
前記バッテリセルの放電を行う放電端子と、
前記バッテリセルの充電を行う充電端子と、
前記バッテリセルの負極端子に接合される負極電極端子と、
外部デバイスと１−ワイヤ（１−ｗｉｒｅ）通信を行う通信端子と
を含む請求項１２に記載のバッテリパック。
【請求項１６】
前記バッテリセルと充電端子との間に過充電防止部材をさらに含む請求項１５に記載のバッテリパック。
【請求項１７】
前記過充電防止部材は、ヒューズを含む請求項１６に記載のバッテリパック。
【請求項１８】
前記過充電防止部材は、加熱抵抗及び前記制御部によって制御されるスイッチを含む請求項１７に記載のバッテリパック。
【請求項１９】
前記第１ダイオード及び第２ダイオードは、同じパッケージ内にある請求項１３に記載のバッテリパック。
【請求項２０】
第１〜第（Ｎ−１）目のバッテリーセル及び第Ｎ目のバッテリセルを含む複数のバッテリセルと、
前記第１〜第（Ｎ−１）目のバッテリセルの電圧を検出する電圧検出回路と、
前記第Ｎ目のバッテリセルの電圧を検出するフライングコンデンサと、
前記フライングコンデンサで前記第Ｎ目のバッテリセルの電圧の格納を制御して、前記フライングコンデンサから第Ｎ目のバッテリセルの電圧の判読を制御する制御部と
を含むバッテリパック。
【発明の詳細な説明】
【技術分野】
【０００１】
本発明はバッテリパックに関する。
【背景技術】
【０００２】
一般的に、携帯用ラップタップ及び携帯用電動工具のような携帯用電子機器は、充電可能なバッテリパックを有する。このようなバッテリパックは、複数のバッテリセルと、各バッテリセルの電圧を検出してバランスを維持する電圧検出及びバランス回路と、バッテリセルの充電及び放電を制御する制御部とからなる。
【０００３】
携帯用電動工具のような特殊な装置に装着されるバッテリパックは、バッテリセルのうちで一部は電圧検出及びバランス回路で印加された電圧が測定される。ところが、電圧検出及びバランス回路の入力ポットの数は限定的であるため、バッテリセルの一部は電圧検出及びバランス回路に印加されることができない。通常的に、このようなバッテリセルは、直接制御部の内部に備えられるＡ／Ｄコンバータに印加されたバッテリセルの電圧値を伝達することになる。
【発明の概要】
【発明が解決しようとする課題】
【０００４】
本発明は、バッテリセルの電圧を測定してＡ／Ｄコンバータに印加するとき、温度による偏差を補正することができるバッテリパックを提供する。
【課題を解決するための手段】
【０００５】
上述の目的を達成するために、本発明に係るバッテリパックは、バッテリセルの電圧値をフライングコンデンサを用いてＡ／Ｄコンバータに印加するものの、フライングコンデンサにバッテリセルの電圧値を格納する経路に位置するダイオードに対応されるように、フライングコンデンサからＡ／Ｄコンバータに印加する経路にダイオードを逆方向に形成してもよい。
【０００６】
また、本発明に係るバッテリパックは、ダイオードを１パッケージに形成して、同様の温度特性を有してもよい。
【０００７】
また、本発明に係るバッテリパックは、フライングコンデンサからＡ／Ｄコンバータに電圧が入力される経路で電圧源からサージ電流を防止するダイオードに対応するように、ダイオードを逆方向に形成してもよい。
【発明の効果】
【０００８】
本発明に係るバッテリパックは、フライングコンデンサにバッテリセルの電圧値を格納する経路に位置するダイオードに対応するように、前記ダイオードと１パッケージからなるダイオードとをフライングコンデンサからＡ／Ｄコンバータに印加する経路に逆方向に形成することで、前記ダイオードの温度特性によるバッテリセルの測定電圧の変化を防止することができる。
【０００９】
また、本発明に係るバッテリパックは、フライングコンデンサからＡ／Ｄコンバータに電圧が入力される経路で電圧源からサージ電流を防止するダイオードに対応するように、前記ダイオードと１パッケージとからなるダイオードを逆方向に形成することで、前記ダイオードの温度特性によるバッテリセルの測定電圧の変化を防止することができる。
【図面の簡単な説明】
【００１０】
【図１】本発明の実施例に係るバッテリパックの構成を示すブロック図である。
【図２】本発明の実施例に係るバッテリパックのうち、アナログスイッチの構成を説明するための回路図である。
【図３】本発明の実施例に係るバッテリパックのうち、アナログスイッチの動作を示す回路図である。
【図４】本発明の実施例に係るバッテリパックのうち、アナログスイッチの動作を示す回路図である。
【発明を実施するための形態】
【００１１】
本発明の属する技術分野において通常の知識を有する者が容易に実施するように、本発明の好ましい実施例を図面を参照しながら詳しく説明する。
【００１２】
以下では、本発明の実施例に係るバッテリパックの構成を説明する。
【００１３】
図１は本発明の実施例に係るバッテリパックの構成を示すブロック図である。図２は本発明の実施例に係るバッテリパックのうち、アナログスイッチの構成を説明するための回路図である。
【００１４】
図１を参照すると、本発明に係るバッテリパック１００は、直列に接続される複数の充電可能なバッテリセル１１０と、前記バッテリセル１１０の電圧を検出するともにバランシングを行う電圧検出及びバランシング回路１２０と、制御部１３０を含む。
【００１５】
ここで、各バッテリセル１１０は、略４．２Ｖまで充電可能なリチウムイオン電池であってもよいが、これに本発明を限定するものではない。前記電圧検出及びバランシング回路１２０は、リチウムイオン電池用として製造される多様な種類のアナログフロントエンドを含めてもよいが、これに本発明を限定するものではない。また、前記制御部１３０もリチウムイオン電池用として製造される多様な種類のマイクロコンピュータであってもよいが、これに本発明を限定するものではない。また、前記電圧検出及びバランシング回路１２０は、前記制御部１３０に電源１３０を供給して、４個のバッテリセル１１０から検出される電圧情報を前記制御部１３０のＡ／Ｄコンバータに提供する。前記制御部１３０は、プログラムまたはアルゴリズムによって処理されるデータ（たとえば、バッテリセル１１０の電圧情報）に対応する充電／放電制御信号及びバランシング制御信号を前記電圧検出及びバランシング回路１２０に提供する。
【００１６】
前記バッテリパック１００は、バッテリセル１１０の放電のための放電端子１４１と、バッテリセル１１０の充電のための充電端子１４２と、外部装置との１−ワイヤ通信のための通信端子１４３と、バッテリセル１１０の充電または放電のための負極端子１４４と、を含む。
【００１７】
ここで、前記放電端子１４１及び充電端子１４２は、バッテリセル１１０の正極に、前記負極端子１４４は、バッテリセル１１０の負極に、前記通信端子１４３は、前記制御部１３０に各々電気的に接続される。
【００１８】
また、前記バッテリパック１００は、バッテリセル１１０と充電端子１４２の間に接続される過充電防止のためのヒューズ１５１とを含む。図１で前記ヒューズ１５１には、加熱抵抗１５２及びスイッチ１５３がさらに接続されており、前記スイッチ１５３は前記制御部１３０の制御信号に応じてターンオンまたはターンオフされることができる。勿論、本発明はこのような構成で過充電防止部材を限定するものではない。すなわち、本発明は過充電防止部材が複数の電界効果トランジスタからなることができる。
【００１９】
本発明の実施例に係るバッテリパック１００は、直列に接続される５個のバッテリセル１１０を含む。ところが、従来に開発された電圧検出及びバランシング回路１２０は、４個のバッテリセル１１０に対する電圧のみを検出するように設計されていた。すなわち、回路変更がない限り、第５個目のバッテリセル１１０の電圧は検出されなかった。
【００２０】
よって、本発明の実施例に係るバッテリパック１００は、第５個目のバッテリセル１１０の電圧検出のためにアナログスイッチ１６０をさらに含む。このようなアナログスイッチ１６０は、第５個目のバッテリセル１１０の正極と負極の間に並列に接続されている。前記アナログスイッチ１６０は、前記第５個目のバッテリセル１１０の電圧を格納し、前記制御部１３０のＡ／Ｄコンバータ（図示せず）に伝達する。
【００２１】
図２を参照すると、前記アナログスイッチ１６０は、前記制御部１３０に接続されてスイッチング動作を行う第１トランジスタＴ１、前記第１トランジスタＴ１によって駆動される第２トランジスタＴ２、第３トランジスタＴ３及び第４トランジスタＴ４を含む。また、前記アナログスイッチ１６０は、前記制御部１３０に接続されてスイッチング動作を行う第５トランジスタＴ５、前記第５トランジスタＴ５によって駆動される第６トランジスタＴ６を含む。
【００２２】
前記第１トランジスタＴ１は、前記制御部１３０から第１スイッチング信号ＳＷ１を印加される。この時、前記第１トランジスタＴ１の制御電極と制御部１３０には、第１抵抗Ｒ１が形成されており、前記第１トランジスタＴ１の制御電極と第１電極の間には、第２抵抗Ｒ２が形成される。また、前記第２電極は接地と接続される。よって、前記第１スイッチング信号ＳＷ１は前記第１抵抗Ｒ１と第２抵抗Ｒ２によって分圧され、前記第１トランジスタＴ１の制御電極に印加される。
【００２３】
前記第２トランジスタＴ２の制御電極は、第３抵抗Ｒ３を介して第１トランジスタＴ１の第２電極に接続される。よって、前記第２トランジスタＴ２は、前記第１トランジスタＴ１がターンオンされると、前記制御電極の信号を介してターンオンされる。前記第２トランジスタＴ２の第１電極は、前記第５個目のバッテリセル１１０の正極端子Ｖ５に接続される。また、前記第２トランジスタＴ２の第２電極は、フライングコンデンサＣｆに接続され、前記第２トランジスタＴ２がターンオンされると前記正極端子Ｖ５の電圧を前記フライングコンデンサＣｆに印加する。
【００２４】
前記第３トランジスタＴ３の制御電極は、前記第３抵抗Ｒ３を介して前記第１トランジスタＴ１の第２電極に接続される。よって、第３トランジスタＴ３も前記第１トランジスタＴ１がターンオンされると、ともにターンオンされる。前記第３トランジスタＴ３の第１電極は、前記第５個目のバッテリセル１１０の正極端子Ｖ５に接続される。このとき、前記正極端子Ｖ５の電圧は、第１コンデンサＣ１を介して格納され、前記第１コンデンサＣ１の電圧が前記第３トランジスタＴ３に印加されることができる。また、前記第３トランジスタＴ３の第２電極は第５抵抗Ｒ５、第１ダイオードＤ１を介して前記第４トランジスタＴ４と接続される。ここで、前記第１ダイオードＤ１は、前記第４トランジスタＴ４を介して前記フライングコンデンサＣｆから逆電流が流れることを遮断する。
【００２５】
前記第４トランジスタＴ４の制御電極は、第２ダイオードＤ２を介して前記第１トランジスタＴ１の第２電極に接続される。また、前記第４トランジスタＴ４の第１電極は、第６抵抗Ｒ６を介して前記制御電極と接続される。よって、前記第６抵抗Ｒ６に電流が流れると、前記第４トランジスタＴ４はターンオンされる。前記第４トランジスタＴ４を介して前記フライングコンデンサＣｆに前記第１ダイオードＤ１と第６抵抗Ｒ６の間に形成されるノードの電位が印加される。一方、前記第２ダイオードＤ２は、前記接地を介して印加されるサージ電流を遮断する役割を果たす。
【００２６】
前記フライングコンデンサＣｆの第１電極は、前記第２トランジスタＴ２の第２電極と前記第６トランジスタＴ６の第１電極の間に接続される。また、前記フライングコンデンサＣｆの第２電極は前記第４トランジスタＴ４の第２電極に接続される。よって、前記フライングコンデンサＣｆの両端には、第５個目のバッテリセル１１０の電圧と前記第１ダイオードＤ１の駆動電圧の和が印加される。
【００２７】
また、前記フライングコンデンサＣｆの第２電極は第３ダイオードＤ３を介して第３コンデンサＣ３と接続される。前記第３コンデンサＣ３には、電圧源Ｖｄの電圧が格納されている。また、前記第３ダイオードＤ３のアノードは、前記３コンデンサＣ３に接続され、カソードは前記フライングコンデンサＣｆの第２電極に接続される。よって、前記フライングコンデンサの第２電極には、前記第３コンデンサＣ３に格納される電圧Ｖｄと前記第３ダイオードＤ３の逆方向駆動電圧が印加される。よって、前記フライングコンデンサＣｆの第２電極に接続される第１ダイオードＤ１の順方向駆動電圧は、前記第３ダイオードＤ３の逆方向駆動電圧によって相殺される。よって、前記第１ダイオードＤ１の温度に応じる駆動電圧の影響を除去することができる。また、前記第３ダイオードＤ３が第１ダイオードＤ１と同様の温度特性を有するようにするために、前記第１ダイオードＤ１と第３ダイオードＤ３は１パッケージで構成されることができる。
【００２８】
前記第５トランジスタＴ５の制御電極は、第７抵抗Ｒ７を介して前記制御部１３０に接続される。また、前記制御電極と第１電極の間には、第８抵抗Ｒ８が接続される。また、前記第５トランジスタＴ５の第１電極は接地に接続される。よって、前記制御部１３０の第２スイッチング信号ＳＷ２は、前記第７抵抗Ｒ７と第８抵抗Ｒ８によって分圧されて前記制御電極に印加される。
【００２９】
前記第６トランジスタＴ６の制御電極は、第９抵抗Ｒ９を介して前記第５トランジスタＴ５の第２電極に接続される。また、前記第６トランジスタＴ６の制御電極は、並列に接続される第１０抵抗Ｒ１０及び第２コンデンサＣ２を介して第１電極と接続される。前記第１０抵抗Ｒ１０及び第２コンデンサＣ２は、前記第６トランジスタＴ６のゲートとソース間の電圧が過渡期（ｔｒａｎｓｉｅｎｔ  ｔｉｍｅ）を有して上昇することで、前記第６トランジスタＴ６が前記第２トランジスタＴ２及び第４トランジスタＴ４とともにターンオンされることを防止する。前記第６トランジスタＴ６の第２電極は、第１２抵抗Ｒ１２を介して第１３抵抗Ｒ１３及び第４コンデンサＣ４の並列分岐に接続される。前記第４コンデンサＣ４は、前記第１２抵抗Ｒ１２と接地の間に接続されて前記第６トランジスタＴ６から印加される電圧を格納し、これを前記制御部１３０のＡ／ＤコンバータＡ／Ｄに印加する。前記第１３抵抗Ｒ１３と第４コンデンサＣ４は、前記第６トランジスタＴ６から印加される電圧が過渡期を有して前記Ａ／ＤコンバータＡ／Ｄに印加されるようにする。
【００３０】
一方、アノードが前記第１３抵抗Ｒ１３に接続され、カソードが電圧源Ｖｄに接続される第４ダイオードＤ４が備えて前記電圧源Ｖｄから流れ込まれるサージ電流（Ｓｕｒｇｅ  ｃｕｒｒｅｎｔ）を遮断する。一方、前記第１３抵抗Ｒ１３の両端には、第５ダイオードＤ５が並列に接続される。前記第５ダイオードＤ５のアノードは、接地に接続され、カソードは前記第４ダイオードＤ４のアノードに接続され、前記サージ電流が印加された時、前記第４ダイオードＤ４の駆動電圧を補償する。よって、前記第４ダイオードＤ４の駆動電圧が温度によって変わる効果が除去される。また、前記第５ダイオードＤ５が第４ダイオードＤ４と同様な温度特性を有するために、前記第４ダイオードＤ４と第５ダイオードＤ５は１パッケージでなることができる。
【００３１】
また、放電端子１４１と負極端子１４４の間に分圧抵抗１６１ａ、１６１ｂが接続されており、前記分圧抵抗１６１ａ、１６１ｂは、バッテリパック１００の全体電圧を制御部１３０へ出力する。
【００３２】
以下では、本発明の実施例に係るバッテリパックのうち、アナログスイッチの動作を説明する。
【００３３】
図３及び図４は本発明の実施例に係るバッテリパックのうち、アナログスイッチの動作を示す回路図である。
【００３４】
図３を参照すると、アナログスイッチ１６０のフライングコンデンサＣｆに前記第５個目のバッテリセル１１０の電圧が格納される過程が丸１で示された破線に沿って示している。まず、第１制御信号ＳＷ１が印加されると、前記第１トランジスタＴ１の制御電極に第２抵抗Ｒ２の電圧が印加され、前記第１トランジスタＴ１がターンオンされる。前記第１トランジスタＴ１の第１電極及び第２電極に流れる電流は、前記第２トランジスタＴ２及び第３トランジスタＴ３の制御電極に電圧を印加してターンオンさせる。
【００３５】
その結果、丸１で示された破線に沿って、前記第５個目のバッテリセル１１０の正極端子電位Ｖ５は、前記第２トランジスタＴ２を介して前記フライングコンデンサＣｆの第１電極に伝達される。また、前記第５個目のバッテリセル１１０の負極端子電位Ｖ４は、第１ダイオードＤ１、第４トランジスタＴ４に沿ってフライングコンデンサＣｆの第２電極に到達する。よって、前記フライングコンデンサＣｆの両端には、（（Ｖ５−Ｖ４）＋Ｖｄ１）に該当する電圧が格納される。ここで、前記（Ｖ５−Ｖ４）は、前記第５個目のバッテリセル１１０の両端での電圧であり、前記Ｖｄ１は前記第１ダイオードＤ１の順方向駆動電圧である。
【００３６】
一方、図４を参照すると、前記アナログスイッチ１６０のフライングコンデンサＣｆに格納される電圧が前記Ａ／ＤコンバータＡ／Ｄに伝達される過程が丸２で示された破線に沿って示している。まず、前記第２制御信号ＳＷ２が印加されると、前記第５トランジスタＴ５がターンオンされる。前記第５トランジスタＴ５の第１電極と第２電極を介して流れる電流によって、前記第６トランジスタＴ６に電圧が印加されて前記第６トランジスタＴ６がターンオンされる。この時、前記第６トランジスタＴ６は、前記第１０抵抗Ｒ１０及び第２コンデンサＣ２の時定数に応じて過渡期を有してターンオンされる。
【００３７】
前記第６トランジスタＴ６がターンオンされることに応じて、前記フライングコンデンサＣｆの第１電極の電位が前記第１２抵抗Ｒ１２に伝達される。この時、前記フライングコンデンサＣｆの第１電極の電位は、（（Ｖ５−Ｖ４）＋Ｖｄ１）＋（Ｖｄ−Ｖｄ３）になる。ここで、Ｖｄは前記第３コンデンサＣ３に格納される電圧源Ｖｄの電圧であり、Ｖｄ３は前記第３ダイオードＤ３の逆方向電圧の大きさである。もし、前記第３ダイオードＤ３の逆方向駆動電圧Ｖｄ３の大きさが前記第１ダイオードＤ１の順方向駆動電圧Ｖｄ１と同様であると、前記フライングコンデンサＣｆの第１電極の電位は（（Ｖ５−Ｖ４）＋Ｖｄ）にする。よって、ダイオードの駆動電圧に関する項が除去される。また、前記電位は第１２抵抗Ｒ１２と第１３抵抗Ｒ１３によって分圧され、前記第１３抵抗Ｒ１３の電圧が最終的に前記Ａ／ＤコンバータＡ／Ｄに伝達される。この時、前記第１３抵抗Ｒ１３及び第４コンデンサＣ４は、時定数を介して過渡期を有して前記Ａ／ＤコンバータＡ／Ｄに電圧を印加することになる。
【００３８】
一方、サージ電流が前記電圧源Ｖｄを介して印加されることを前記第４ダイオードＤ４が防ぐ、このとき前記第５ダイオードＤ５は前記第４ダイオードＤ４の順方向駆動電圧値を相殺する。よって、前記Ａ／ＤコンバータＡ／Ｄに印加される電圧が安定的に印加されることができる。
【００３９】
以上にて説明したことは、本発明の一実施例にかかるバッテリパックを実施するための一つの実施例に過ぎないものであり、本発明は前記の実施例に限定されず、特許請求の範囲で請求するような本発明の要旨から外れることなく当該発明が属する技術分野で通常の知識を有する者であれば誰でも様々な変更実施が可能な範囲まで本発明の技術的精神があると言える。
【符号の説明】
【００４０】
１００：バッテリパック
１１０：バッテリセル
１２０：電圧検出及びバランシング回路
１３０：制御部
１４１：放電端子
１４２：充電端子
１４３：通信端子
１４４：負極端子
１５１：ヒューズ
１５２：加熱抵抗
１５３：スイッチ
１６０：アナログスイッチ
１６１ａ、１６１ｂ：分圧抵抗
１６４：バランシング抵抗
１６５：バランシングスイッチ
１６６：電流検出抵抗
１６７：温度検出器
【図１】
2011164107.tif 000003
【図２】
2011164107.tif 000004
【図３】
2011164107.tif 000005
【図４】
2011164107.tif 000006